(57)【要約】【課題】  扇風機に容易に着脱可能であり、送風の冷却効率が良好であり、さらに送風方向が調整可能な冷風発生部材を提供する。【解決手段】  扇風機に装着して用いる冷風発生部材１であって、可撓性を有する袋体２に保冷剤５を封入した本体と、該本体に形成した風を通過させるための孔４と、該孔４に装着可能な風向きを制御するためのラダー４２を内蔵した通風部材４１とを備えたことを特徴とする。【選択図】図１
2013133821.tif 000002
【特許請求の範囲】
【請求項１】
扇風機に装着して用いる冷風発生部材であって、可撓性を有する袋体に保冷剤を封入した本体と、該本体に形成した風を通過させるための孔と、該孔に装着可能な風向きを制御するためのラダーを内蔵した通風部材とを備えたことを特徴とする冷風発生部材。
【請求項２】
本体に封入した保冷剤が、ポリアクリル酸ナトリウム高吸水性ポリマーを吸水させたものであることを特徴とする請求項１に記載の冷風発生部材。
【請求項３】
風を通過させるための孔が、本体正面から見てスパイラルの列状に形成されていることを特徴とする請求項１又は２に記載の冷風発生部材。
【請求項４】
扇風機の前面に装着することを特徴とする請求項１から３のいずれか一項に記載の冷風発生部材。
【発明の詳細な説明】
【技術分野】
【０００１】  本発明は、扇風機に装着して用いられる冷風発生部材に関するものである。
【背景技術】
【０００２】  近年、環境問題や、省エネルギーに対する関心の高まりから、家電製品の消費電力を低く抑えたり、稼働効率を向上させる開発が盛んに行われている。特に夏場の暑さに対する冷房装置等の消費電力は膨大であり、少しでも効率のよい稼働を行うための開発が望まれている。【０００３】  一方、夏場の暑さ対策用の家電製品として扇風機が一般家庭に広く普及している。扇風機は、クーラー等に比べて消費電力が圧倒的に低いため、省エネルギー対策の家電製品として好適に用いられる。しかしながら、扇風機による送風は単に空気を循環させるものであり、空気自体の温度を制御するものではないため、扇風機のみによる冷房効果を期待することはできない。【０００４】  このような現状において、扇風機によって冷風を発生させるために、扇風機の後部カバーに装着して用いる簡易型の冷風発生装置が提案されている（例えば、特許文献１を参照）。【０００５】  この提案は、予め冷蔵庫等で冷却しておいた冷却剤を収容した容器を、扇風機の後部カバーに装着し、冷却剤を通過して冷却された空気を、扇風機前方に供給するものである。【０００６】  しかしながら、この提案では、冷風発生装置を後部カバーに取り付けるため、モーターの熱の影響を受けて冷却効率が低下したり、せっかく冷却された空気が、扇風機の羽根の回転により、羽根周辺の冷却されていない空気と撹拌されてしまい、所定の冷却された空気が前方に供給されない等の問題が指摘されていた。
【先行技術文献】
【特許文献】
【０００７】
【特許文献１】実用新案登録第３１５５８７０号
【発明の概要】
【発明が解決しようとする課題】
【０００８】  本発明は、上記のような背景から、従来の問題点を解消し、扇風機に容易に着脱可能であり、送風の冷却効率が良好であり、さらに送風方向が調整可能な冷風発生部材を提供することを課題としている。
【課題を解決するための手段】
【０００９】  即ち、本発明の冷風発生部材は以下のことを特徴としている。【００１０】  第１に、扇風機に装着して用いる冷風発生部材であって、可撓性を有する袋体に保冷剤を封入した本体と、該本体に形成した風を通過させるための孔と、該孔に装着可能な風向きを制御するためのラダーを内蔵した通風部材とを備えたことを特徴とする。【００１１】  第２に、上記第１の発明の冷風発生部材において、本体に封入した保冷剤が、ポリアクリル酸ナトリウム高吸水性ポリマーを吸水させたものであることが好ましい。【００１２】  第３に、上記第１又は第２の発明の冷風発生部材において、風を通過させるための孔が、本体正面から見てスパイラルの列状に形成されていることが好ましい。【００１３】  第４に、上記第１から第３の発明の冷風発生部材において、扇風機の前面に装着することが好ましい。
【発明の効果】
【００１４】  上記の本発明によれば、扇風機に容易に着脱可能であり、送風の冷却効率が良好であり、さらに送風方向が調整可能な冷風発生部材とすることができる。
【図面の簡単な説明】
【００１５】
【図１】本発明の冷風発生部材の正面外観を示す概略図である。
【図２】本発明の冷風発生部材の正面外観を示した概略断面図である。
【図３】袋体に設けられた孔を示す概略断面斜視図である。
【図４】孔に挿入される通風部材を示す概略斜視図である。
【図５】通風部材の概略断面図である。
【図６】本発明の冷風発生部材を扇風機に装着した状態を示す概略図である。
【図７】本発明の冷風発生部材を扇風機に装着した状態の風の流れを示す概略図である。
【発明を実施するための形態】
【００１６】  本発明の冷風発生部材は、扇風機に装着して冷風を供給するものである。
【００１７】  以下に本発明の冷風発生部材について、図を用いて詳細に説明する。図１は本発明の冷風発生部材の正面外観を示した概略図であり、図２は本発明の冷風発生部材の断面を示した概略断面図である。
【００１８】  本発明の冷風発生部材１は、可撓性を有する袋体２に保冷剤５を封入した本体と、該本体に形成した風を通過させるための孔４を備えた構成となっている。
【００１９】  可撓性を有する袋体２の材料としては、適度な柔らかさを有し、多少の衝撃でも破れることがなく、封入された保冷剤５が漏れ出さないものであれば特に制限なく用いることができ、これらのものとしては、例えば樹脂シート、ゴムシート、フイルムコーティングした布、フイルムコーティングした紙等を挙げることができる。
【００２０】  これらの中でも樹脂シートを好適に用いることができ、具体的には、ポリエチレン（ＰＥ）シート、ポリ塩化ビニル（ＰＶＣ）シート、ポリプロピレン（ＰＰ）シート、ポリカーボネート（ＰＣ）シート、ポリエチレンテレフタレート（ＰＥＴ）等のポリエステルシート、ポリアクリロニトリル（ＰＡＮ）シート、ウレタン（ＵＲ）シート、ナイロン（ＮＹ）シート等を挙げることができ、価格や取り扱いの簡便さからポリプロピレン（ＰＰ）シートを特に好適に用いることができる。
【００２１】  上記の袋体２の中には保冷剤５が封入されている。保冷剤５としては、通常公知の保冷剤を用いることができ、中でも高吸水性ポリマーを吸水させた保冷剤を好適に用いることができる。具体的には、ポリアクリル酸ナトリウム高吸水性ポリマーを吸水させた保冷剤を特に好適に用いることができる。
【００２２】  ポリアクリル酸ナトリウム高吸水性ポリマーを吸水させた保冷剤は、蓄冷効果が高いため、一度冷却すると長時間冷風を発生させることができる。
【００２３】  保冷剤５は袋体２に入れられて、シール部３により、容易に漏れ出さないように封入されている。
【００２４】  なお、保冷剤５が袋体２の下部に溜まった形で冷風発生部材の形状が変形する可能性がある場合には、袋体をセル状の区画に区切るようにシールして、各セル状の区画に保冷剤５を封入するようにしてもよい。
【００２５】  保冷剤５を封入した袋体２には、図１に示すように、空気を通過させるための円形状の孔４が形成されている。孔４は、図３に示すように円柱状に形成され、この縁部も封入された保冷剤５が漏れ出さないようにシールされている。
【００２６】  孔４の大きさや数は特に制限されるものではなく、通風量と冷却効率を考慮して適宜設定することができる。また、冷風発生部材を前方から見て中心部に近い孔４の大きさを小さくし、外縁部に近い孔４を大きくする等、変化をつけた設定としてもよい。
【００２７】  また、孔４の配置は、図１に示すように、正面から見てスパイラルの列状に形成することが好ましい。このようにスパイラルの列状に形成することにより、後述するラダー４２により風向が制御された冷風を効率よく回転させ、図７に示すように、より遠くまで冷風を到達させることが可能となる。
【００２８】  本発明の冷風発生部材１の孔４には、図４に示すような筒状の通風部材４１が容易に脱落しないように挿入されている。通風部材４１の内側には風向を制御するためのラダー４２が設けられており、孔４に挿入された通風部材４１を孔４内で回転させることにより簡単に風向を変更させることができる。
【００２９】  なお、図４、図５に示すような、通風部材４１の内側に設けられたラダー４２の角度は特に制限されるものではなく、適宜設定することが可能である。
【００３０】  また、孔４に挿入する通風部材４１の数は特に制限されるものではなく、少なくとも１個以上挿入されていればよい。さらに、挿入場所も風向の制御を考慮して適宜設定することができる。
【００３１】  通風部材４１及びラダー４２の材質は特に制限されるものではないが、通過する空気の冷却を効率的に行うために、冷却剤の温度を伝導しやすい熱伝導率の高い部材、例えばアルミニウム、薄手の樹脂部材等を用いるのが好ましい。
【００３２】  本発明の冷風発生部材１は、図６に示すように、扇風機の前面に装着して用いられる。そのため、図１に示すように、冷風発生部材のシール部３には装着用フック６が設けられている。装着用フック６は扇風機のカバーの縁部に引っ掛かるように構成されており、種々のタイプの大きさのカバーに対応できるように装着用フック６の取り付け部にはスプリング６１が設けられている。
【００３３】  上記のような構成の本発明の冷風発生部材１を用いる場合には、予め、冷蔵庫等で冷風発生部材１を冷やしておく。そして、冷風発生部材１の冷却剤５が十分に冷却された状態で、扇風機の前面に装着用フック６により装着する。
【００３４】  この状態で扇風機を稼働させると、扇風機から送られる空気が冷風発生部材１の孔４を通過する段階で冷却され冷風として前面に供給される。
【００３５】  この際、通風部材４１のラダー４２の向きを、扇風機の風向が回転するように設定することにより、図７に示すように、より遠くまで冷風を到達させることができる。
【００３６】  そして、冷却剤が常温に近付き冷却効果が減少したときには、冷風発生部材１を再度冷やすことにより、繰り返し使用することができる。
【００３７】  なお、図に示した実施形態の説明では、孔４の形状は円形としてあるが、本発明の効果を阻害しない範囲において、デザイン性等を考慮して種々の形状、例えば楕円形、正方形、星形、またこれらの組み合わせ等としてもよい。
【００３８】  また、袋体２を透明にして、封入する冷却剤５に着色したり、ラメや細かい装飾部材を入れてよりデザイン性を向上させることもできる。
【００３９】  さらに、図５に示した通風部材４１の内側に設けるラダー４２の角度を可変できるようにすることもできる。
【００４０】
【符号の説明】
【００４１】  １  冷風発生部材
２  袋体
３  シール部
４  孔
４１  通風部材
４２  ラダー
５  冷却剤
６  装着用フック
６１  スプリング
【図１】
2013133821.tif 000003
【図２】
2013133821.tif 000004
【図３】
2013133821.tif 000005
【図４】
2013133821.tif 000006
【図５】
2013133821.tif 000007
【図６】
2013133821.tif 000008
【図７】
2013133821.tif 000009